(57)【特許請求の範囲】
【請求項１】
磁石が吸着可能な対象物に物品を固定するための固定補助具であって、
磁石及び前記磁石を出し入れ自在に収納する磁石収納部と前記磁石を前記磁石収納部の内部に保持する磁石保持手段を備え、前記磁石収納部へ収納される前記磁石の向きを変えることで、極性が変更される本体部と、
前記本体部に取り付けられた把持部を備え、
前記本体部は、所定の間隔を有する二箇所に筒状の把持部取り付け手段を備え、
前記把持部は、前記各把持部取り付け手段の内部に遊動自在に挿通されて前記本体部に取り付けられ、前記対象物に対する前記物品の取り付け及び取り外しを行う工具で把持可能な紐状で且つ環状に形成される
ことを特徴とする固定補助具。
【請求項２】
前記本体部を複数備え、
前記各本体部は、所定の間隔を有する二箇所に筒状の前記把持部取り付け手段を備え、
前記工具で把持可能な紐状で且つ環状に形成される前記把持部は、前記各本体部の前記各把持部取り付け手段の内部に遊動自在に挿通されて前記各本体部に取り付けられた
ことを特徴とする請求項１記載の固定補助具。
【請求項３】
前記磁石収納部は、表面に面ファスナーを備えた
ことを特徴とする請求項１又は請求項２記載の固定補助具。
【請求項４】
前記物品に取り付けられた面ファスナーに、前記磁石収納部の表面に備えられた前記面ファスナーが取り付けられる
ことを特徴とする請求項３記載の固定補助具。
【請求項５】
対象物に物品を固定するための固定補助具であって、
磁石及び、前記磁石を出し入れ自在に収納する磁石収納部と前記磁石を前記磁石収納部の内部に保持する磁石保持手段を備え、前記磁石収納部へ収納される前記磁石の向きを変えることで、極性が変更される二つの本体部と、
二つの前記本体部を連結する連結部を備え、
前記連結部は、前記対象物に対する前記物品の取り付け及び取り外しを行う工具で把持可能な紐状で且つ環状に形成される
ことを特徴とする固定補助具。
【請求項６】
前記連結部の、二つの前記本体部の間の長さを調節する調節手段を備えた
ことを特徴とする請求項５記載の固定補助具。
【請求項７】
前記各本体部は、所定の間隔を有する二箇所に筒状の連結部取り付け手段を備え、
前記工具で把持可能な紐状で且つ環状に形成される前記連結部が前記各本体部の前記各連結部取り付け手段の内部に遊動自在に挿通されて、前記各本体部が連結された
ことを特徴とする請求項５又は請求項６記載の固定補助具。
【発明の詳細な説明】
【技術分野】
【０００１】
本発明は、物品を対象物に固定する際に用いられる固定補助具に関する。詳しくは、磁石収納部の内部に収納された磁石を備えた本体部及び本体部に取り付けられた把持部を備えることで、磁石と対象物の間の吸着力により、対象物への物品の固定を、物品及び対象物の形状によらず容易に行うことを可能とするものである。
【背景技術】
【０００２】
配電設備の保守・維持管理のための各種作業を行う際には、６６００Ｖの高圧配電線を停電させずに作業を行う活線作業が実施される。活線作業を行う際には、地絡・短絡といった事故を防止するため、各配電設備に防護用シートを取り付ける必要がある。
【０００３】
図２５は、活線作業を行う配電設備を示す説明図である。図２５においては、電柱２３に取り付けられた腕金２２に、碍子２４を介してカバー２５及び電線２６が取り付けられている。図２５に示す配電設備においては、図２５のＳで示す腕金２２及び、Ｔで示す電線２６の一部及びカバー２５に防護用シートが取り付けられ、各種の作業が行われる。
【０００４】
図２６は、従来の方法により、図２５のＳで示す箇所に防護用シート２１の取り付け及び固定を行った状態を示す説明図である。防護用シート２１が、二つの腕金２２を包んで取り付けられ、シートバサミ２７にて固定されている。
【０００５】
また図２７は、従来の方法により、図２５のＴで示す箇所に防護用シート２１の取り付け及び固定を行った状態を示す説明図である。防護用シート２１が、電線２６の一部及びカバー２５を包んで取り付けられ、シートバサミ２７にて固定されている。
【０００６】
また図２８は、図２７とは別の方法により、図２５のＴで示す箇所に防護用シート２１の固定を行った状態を示す説明図である。防護用シート２１が、電線２６の一部及びカバー２５を包んで取り付けられ、ビニルテープ２８により固定されている。
【０００７】
また、図２６・図２７及び図２８では、防護用シート２１が、シートバサミ２７又はビニルテープ２８により固定される例を示した。しかし防護用シート２１が、複数の面ファスナーを所定の位置に備えている場合、面ファスナー同士を接着することで、シートバサミ２７及びビニルテープ２８を用いずに防護用シート２１を固定することも可能である。
【０００８】
従来の方法では、図２６から図２８で示す防護用シート２１・シートバサミ２７・ビニルテープ２８の取り付け及び取り外しは、絶縁ゴム手袋を装着した作業員の手作業により行われる（直接作業と呼ばれる）。
【０００９】
また、作業員の手作業による直接作業とは別に、絶縁ヤットコと呼ばれる工具を用いて、防護用シート２１・シートバサミ２７・ビニルテープ２８の取り付け及び取り外しを行う方法がある（間接作業と呼ばれる）。絶縁ヤットコは、長さが１ｍ程度の棒状の主軸の先端部に、作業対象物を掴むための掴み部を備えた工具である。絶縁ヤットコの主軸の掴み部取り付け部と逆側の端には、掴み部の開閉を行うための操作レバーが備えられる。
【００１０】
このような構成の絶縁ヤットコを用い、作業者は、活線状態の配電設備に接近せずに防護用シート２１・シートバサミ２７・ビニルテープ２８の取り付け及び取り外しを行う。
【００１１】
また磁石の吸着力を利用して物の固定を行う固定具として、二枚の磁石による吸着力を利用して紙等をはさむ場合と、一枚の磁石により鉄板等の表面に紙等を押さえる場合の二つの目的に使用できる可撓性磁石クリップが提案されている（例えば特許文献１参照）。
【００１２】
特許文献１に開示される可撓性磁石クリップは、上端部にマジックテープ（登録商標）の接合部が設けられた二枚の可撓性磁石を備える。二枚の可撓性磁石は、マジックテープ（登録商標）の接合部により接合・取り外しが自在となる。
このような構成により、同一構成の可撓性磁石クリップにて、二枚の可撓性磁石による吸着力を利用して紙等をはさむ場合と、一枚の可撓性磁石により鉄板等の表面に紙等を押さえる場合の二つの目的に使用することを可能とするものである。
更に磁石の吸着力を利用して物の固定を行う固定具として、物体の着け外しを自由に行うための、粘着テープ付き磁石が提案されている（例えば特許文献２）。
【００１３】
特許文献２に開示される粘着テープ付磁石は、粘着テープが着けられた磁石を備えて構成され、着け外しを行いたい物体に対して、粘着テープにより取り付けられる。
このような構成により、磁石の吸着力を利用して、粘着テープ付き磁石が取り付けられた物体同士の着け外しを自由に行うことを可能とするものである。
【００１４】
【特許文献１】実開平０５−０８０７８２号公報
【特許文献２】特開平０９−００７８２３号公報
【発明の開示】
【発明が解決しようとする課題】
【００１５】
しかし、前述した防護用シートの従来の固定方法では次のような問題がある。
絶縁ゴム手袋を装着した作業員による直接作業では、作業員が高圧の配電設備に近づいて各種の作業を行う必要があるため、安全性が確保できない問題がある。
また、絶縁ヤットコを用いて防護用シート等の取り付け及び取り外しを行う間接作業では、絶縁ヤットコによりシートバサミ及びビニルテープ等を把持して作業を行わなければならず、取り付け及び取り外し作業が困難である問題がある。
【００１６】
更に、シートバサミ及びビニルテープを用いずに、防護用シートに備えられた面ファスナーにより防護用シートの固定を行う際には、絶縁ヤットコで防護用シートを把持して各作業を行うことが困難である問題がある。
【００１７】
更に、直接作業と間接作業の共通の問題として、防護対象の配電設備の形状等によっては、面ファスナーによる防護用シートの固定が行えない場合が生じてしまう問題がある。
【００１８】
また同様に、シートバサミにより防護用シートの固定を行う際にも、防護対象の配電設備の形状等により、シートバサミによる防護用シートの固定が行えない場合が生じてしまう問題がある。
【００１９】
また、特許文献１にて提案されている可撓性磁石クリップは、二枚の磁石による吸着力を利用して紙等をはさむ、又は一枚の磁石により鉄板等の表面に紙等を押さえるための構成であり、絶縁ヤットコを使用して防護用シートを配電設備に取り付け及び取り外しをする作業には使用できない。
【００２０】
また、特許文献２にて提案されている粘着テープ付磁石は、粘着テープが着けられた磁石を備え、物体の着け外しを自由に行うための構成であり、絶縁ヤットコを使用して防護用シートを配電設備に取り付け及び取り外しをする作業には使用できない。
【００２１】
本発明は、このような問題を解決するためになされたもので、物品の対象物への固定を、物品及び対象物の形状によらず容易に行うことが可能な固定補助具を提供することを目的とする。
【課題を解決するための手段】
【００２２】
上述した問題を解決するため、請求項１の発明に係る固定補助具は、磁石が吸着可能な対象物に物品を固定するための固定補助具であって、磁石及び磁石を出し入れ自在に収納する磁石収納部と磁石を磁石収納部の内部に保持する磁石保持手段を備え、磁石収納部へ収納される磁石の向きを変えることで、極性が変更される本体部と、本体部に取り付けられた把持部を備え、本体部は、所定の間隔を有する二箇所に筒状の把持部取り付け手段を備え、把持部は、各把持部取り付け手段の内部に遊動自在に挿通されて本体部に取り付けられ、対象物に対する物品の取り付け及び取り外しを行う工具で把持可能な紐状で且つ環状に形成されることを特徴とするものである。
【００２３】
請求項１の発明に係る固定補助具を用いて、対象物に対する物品の固定は次のように行われる。対象物を物品で覆い、物品の上から固定補助具を物品に取り付け、固定補助具の磁石と対象物の間の吸着力により、物品を対象物に対して固定する。
【００２４】
請求項１の発明に係る固定補助具により固定された物品を対象物から取り外す際は、次のように行われる。まず、固定補助具を物品から取り外す。固定補助具を取り外す際は、把持部を把持することにより行われる。その後、物品を対象物から取り外す。
【００２５】
上述した問題を解決するため、請求項５の発明に係る固定補助具は、対象物に物品を固定するための固定補助具であって、磁石及び、磁石を出し入れ自在に収納する磁石収納部と磁石を磁石収納部の内部に保持する磁石保持手段を備え、磁石収納部へ収納される磁石の向きを変えることで、極性が変更される二つの本体部と、二つの本体部を連結する連結部を備え、連結部は、対象物に対する物品の取り付け及び取り外しを行う工具で把持可能な紐状で且つ環状に形成されることを特徴とするものである。
【００２６】
請求項６の発明に係る固定補助具を用いて、対象物に対する物品の固定は次のように行われる。
対象物をシート状の物品で覆い、物品及び対象物を連結部の二つの本体部の間の箇所で巻いた状態で二つの本体部をそれぞれの磁石の吸着力により吸着させ、物品を対象物に対して固定する。
【００２７】
請求項６の発明に係る固定補助具により固定された物品を対象物から取り外す際は、次のように行われる。まず、磁石の吸着力で吸着された二つの本体部を取り外す。その後、固定補助具を物品及び対象物から取り外し、物品を対象物から取り外す。
【発明の効果】
【００２８】
請求項１の発明に係る固定補助具によれば、磁石の吸着力により、磁石が吸着可能な対象物に対して物品を固定することができるので、物品及び対象物の形状によらず、物品を対象物に容易に固定することができる。
また、請求項１の発明に係る固定補助具の取り外しをする際は、把持部を把持することにより行われる。これにより、絶縁ヤットコ等の工具を用いて固定補助具の取り外しを容易に行うことが可能になる。
また磁石が磁石収納部に収納されているため、固定作業時に磁石が落下することを防ぎ、更に磁石により物品及び対象物を傷つけることを防ぐことができる。
また、磁石及び磁石収納部を備えた本体部と、把持部を備えた単純な構成であるため、容易に且つ低コストで作製することが可能である。
【００２９】
請求項５の発明に係る固定補助具によれば、物品及び対象物を連結部で巻き、二つの本体部を磁石の吸着力により吸着させて、物品を対象物に対して固定する。これにより、対象物に磁石を吸着することができない場合も、物品及び対象物の形状によらず、物品を対象物に容易に固定することができる。
また磁石が磁石収納部に収納されているため、固定作業時に磁石が落下することを防ぎ、更に磁石同士が傷つくことを防ぐことができる。
また、磁石及び磁石収納部を備えた本体部及び連結部を備えた単純な構成であるため、容易に且つ低コストで作製することが可能である。
【発明を実施するための最良の形態】
【００３０】
以下図面を参照して、本発明の固定補助具の実施の形態について説明する。
【００３１】
＜第１の実施の形態の固定補助具の構成例＞
図１から図５は、第１の実施の形態の固定補助具１の構成を示す説明図である。図１から図３は概略斜視図であり、説明のため構成の一部を透視した状態で破線にて示している。図１は後述する磁石２が固定補助具１に収納された状態を示している。
【００３２】
図２は後述する磁石ポケットふた４を開いた状態を示し、図３は磁石２の固定補助具１への出し入れを示している。図４は固定補助具１の断面図であり、図１のＡ−Ａ断面を示している。
【００３３】
また図５は固定補助具１の断面図であり、図５（ａ）は図１のＢ−Ｂ断面を示し、図５（ｂ）は図２のＣ−Ｃ断面を示し、図５（ｃ）は、図３のＤ−Ｄ断面を示している。
【００３４】
第１の実施の形態の固定補助具１は、例えば次に示すような構成となる。図１から図５に示すように、固定補助具１は、磁石２・磁石ポケット３・磁石ポケットふた４・面ファスナー５及び把持ひも取り付け部６を備える本体部１９と、把持ひも７を備える。
【００３５】
図１及び図５（ａ）に示すように、固定補助具１では、磁石２が、磁石ポケット３に収納され、磁石ポケットふた４により磁石ポケット３内部に保持される。磁石ポケット３は磁石収納部の一例であり、磁石ポケットふた４は磁石保持手段の一例である。
【００３６】
磁石ポケット３は内部に磁石３を収納するための袋状の部材を備えて構成される。また磁石ポケット４は、磁石ポケット３の底面部と略同一の大きさの布状の部材を備えて構成される。磁石２が磁石ポケット３の内部に収納され、磁石ポケットふた４が磁石ポケット３の上面部と磁石２の間に差し込まれて、磁石２が保持される。
【００３７】
また磁石２は、図１の矢印ａで示すように、上下方向に極性を有する状態で、磁石ポケット３に収納される。
【００３８】
また図２及び図５（ｂ）に示すように磁石ポケットふた４を開き、図３の矢印ｃ及び図５（ｃ）の矢印ｄに示すように、磁石２の磁石ポケット３への出し入れを行うことができる。また、磁石２の上下の向きを変えることにより、磁石ポケット３に収納された状態での上下方向の極性を変更することができる。
【００３９】
また図１から図４に示すように、二つの把持ひも取り付け部６が、磁石ポケット３の両端部にそれぞれ備えられる。把持ひも取り付け部６は把持部取り付け手段の一例である。把持ひも取り付け部６は、内部が空洞である筒状の部材を備えて構成される。
【００４０】
また図１から図３に示すように、環状に形成された把持ひも７が、二つの把持ひも取り付け部６の内部に挿通されて、磁石ポケット３に取り付けられる。把持ひも７は、例えば、軽量であること、耐久性等を考慮してビニール製のものが使用可能である。把持ひも７は、把持ひも取り付け部６の筒状の長手方向に遊動自在に取り付けられている。
【００４１】
このため把持ひも７は、磁石ポケット３に対して図１の矢印ｂで示す方向に遊動自在であり、磁石ポケット３の外部に位置する把持ひも７の把持部７ａ及び７ｂの大きさは、把持ひも７の長さの範囲内で自由に変更することが可能な構成となっている。
【００４２】
また、磁石ポケット３・磁石ポケットふた４及び把持ひも取り付け部６は、例えば、作作製し易さを考慮して、一枚の布から作製することが可能である。使用される布としては、磁石２の出し入れを考慮して、例えば柔軟性に富んだものを使用することが好ましい。また、長期間の使用を考慮して、例えば温度変化による硬化変質が無く、経年により性能劣化がない布を使用することが好ましい。
【００４３】
また、配電設備を停電させないで各種の作業を行う活線作業にて使用することを考慮して、例えば合成繊維布に絶縁良好な合成樹脂を塗布したものを使用することが好ましい。
【００４４】
更に図１から図５に示すように、磁石ポケット３の表面には面ファスナー５が備えられている。図１から図４では、オスの面ファスナー５ａとメスの面ファスナー５ｂの両方を備えた例を示しているが、オスの面ファスナー５ａのみ又はメスの面ファスナー５ｂのみを備えた構成としても良い。
【００４５】
また、上述した固定補助具１では、磁石ポケット３の表面に面ファスナー５を備えた構成としたが、面ファスナー５を備えない構成としても良い。
【００４６】
また、図１から図５で説明した固定補助具１では本体部１９を一つ備えた構成としたが、図６に示すように本体部１９を２つ備えた構成としても良い。
【００４７】
図６に示す固定補助具１では、環状に形成された把持ひも７が、各本体部１９の各把持ひも取り付け部６の内部に挿通されて、各本体部１９に取り付けられている。また、図１等で説明した固定補助具１と同様に、把持ひも７は、各把持ひも取り付け部６の筒状の長手方向に遊動自在に取り付けられている。
【００４８】
このため把持ひも７は、各本体部１９に対して図６の矢印ｅで示す方向に遊動自在であり、各本体部１９の外部に位置する把持ひも７の把持部７ａ及び７ｂの大きさは、把持ひも７の長さの範囲内で自由に変更することが可能な構成となっている。
【００４９】
第１の実施の形態の固定補助具１は、磁石２・磁石ポケット３・磁石ポケットふた４・面ファスナー５及び把持ひも取り付け部６を備えた本体部１９と、把持ひも７を備えた単純な構成であるため、容易に且つ低コストで作製することが可能である。
【００５０】
＜磁石ポケット３・磁石ポケットふた４及び把持ひも取り付け部６の作製例＞
次に、磁石ポケット３・磁石ポケットふた４及び把持ひも取り付け部６を一枚の布から作製する方法を説明する。図７から図１４は、一枚の布から磁石ポケット３・磁石ポケットふた４及び把持ひも取り付け部６を作製する方法の説明図である。
【００５１】
図７は、磁石ポケット３・磁石ポケットふた４及び把持ひも取り付け部６を作製するための固定補助具作製布２０の外形を示す平面図である。図８から図１３は、磁石ポケット３・磁石ポケットふた４及び把持ひも取り付け部６を作製する途中の状態を示す平面図である。図７から図１３においては、外形及び縫い部を実線で示し、折り部を破線で示している。
【００５２】
図１４は、磁石ポケット３・磁石ポケットふた４及び把持ひも取り付け部６が完成した状態を示す平面図であり、磁石ポケット４を磁石ポケット３の内部に入れた状態を示している。図１４においては、説明のため一部を透視した状態で破線で示している。
【００５３】
上述したように、固定補助具作製布２０は、例えば柔軟性に富んだもの、温度変化による硬化変質が無く、経年により性能劣化がない、絶縁性を有するなどの性質を持つ布を用いることが可能である。
【００５４】
まず、図７に示す外形に固定補助具作製布２０を裁断する。固定補助具作製布２０は、第一磁石ポケット形成部２０ａ・第二磁石ポケット形成部２０ｂ・把持ひも取り付け部形成部２０ｃ及び磁石ポケットふた形成部２０ｄを備えて構成される。
【００５５】
その後、図８に示す第一折り部２０ｅにて、図９に示すように第一面部２０ｆを第一磁石ポケット形成部２０ａに対して谷折りに折り曲げる。その後、第一縫い部２０ｇにて、第一面部２０ｆと第一磁石ポケット形成部２０ａを縫い合わせる。
【００５６】
その後、図９に示す第二折り部２０ｈにて、図１０に示すように第一磁石ポケット形成部２０ａを第二磁石ポケット形成部２０ｂに対して谷折りに折り曲げる。その後、第二縫い部２０ｉ及び第三縫い部２０ｊにて第一磁石ポケット形成部２０ａと第二磁石ポケット形成部２０ｂを縫い合わせる。
【００５７】
その後、二つの把持ひも取り付け部形成部２０ｃをそれぞれの第三折り部２０ｋにて、固定補助具作製布２０の内側方向に谷折りに折り曲げ、さらにそれぞれの第四折り部２０ｌにて固定補助具作製布２０の内側方向に谷折りに折り曲げる。
【００５８】
その後図１１に示すように、第四縫い部２０ｍで各面部を縫い合わせる。これにより、内部が空洞の筒状の把持ひも取り付け部６及び、袋状の磁石ポケット３が形成される。
【００５９】
その後、二つの第二面部２０ｎをそれぞれの第五折り部２０ｏにて、磁石ポケットふた形成部２０ｄに対して谷折りに折り曲げる。その後図１２に示すように、第五縫い部２０ｐにて第二面部２０ｎと磁石ポケットふた形成部２０ｄを縫い合わせる。
【００６０】
その後、第六折り部２０ｑにて磁石ポケットふた形成部２０ｄを谷折りに折り曲げ、図１３に示すように第六縫い部２０ｒで各面部を縫い合わせる。これにより磁石ポケットふた４が形成される。
【００６１】
以上のような方法により、図１４に示すように、一枚の固定補助具作製布２０から磁石ポケット３・磁石ポケットふた４及び把持ひも取り付け部６を作製することが可能である。
【００６２】
＜第２の実施の形態の固定補助具の構成例＞
次に、第２の実施の形態の固定補助具８の構成について説明する。図１５は第２の実施の形態の固定補助具８を示す概略斜視図であり、説明のため構成の一部を透視した状態で破線にて示している。
【００６３】
なお、固定補助具８において図１から図５で説明した固定補助具１と同様の構成を備えるものについては、同一の符号を付している。
【００６４】
固定補助具１は、例えば次のような構成となる。図１５に示すように、固定補助具８は、磁石２・磁石ポケット３・磁石ポケットふた４・面ファスナー５・連結ひも取り付け部１１を備える本体部９を、二つ備えて構成される。更に固定補助具８は、二つの本体部９を連結する連結ひも１０及び連結ひも調節器１２を備える。
【００６５】
固定補助具８においては、本体部９は、図１から図５で説明した固定補助具１の、把持ひも７を除いた部分と同様の構成となる。固定補助具８の連結ひも取り付け部１１は、固定補助具１の把持ひも取り付け部６と同様の構成となる。
【００６６】
固定補助具１と同様に、固定補助具８の本体部９においては、磁石２が磁石ポケット３に収納され、磁石ポケットふた４により磁石ポケット３内部に保持される。また、磁石ポケットふた４を開いて、磁石２の磁石ポケット３への出し入れを行うことが可能である。更に、磁石２の上下の向きを変えることにより、磁石ポケット３に収納された状態での磁石２の上下方向の極性を変更することができる。
【００６７】
また固定補助具８においては、図１５の矢印ｇで示す二つの本体部９の下面で、二つの本体部９を互いに吸着できるように、それぞれの本体部９では上下方向の極性が異なるように磁石２が収納されている。
【００６８】
また、磁石ポケット３の両端部に連結ひも取り付け部１１が備えられる。連結ひも取り付け部１１は連結ひも取り付け手段の一例である。連結ひも取り付け部１１は、内部が空洞である筒状の部材を備えて構成される。
【００６９】
また、固定補助具１と同様に、図７から図１４で説明したように、固定補助具８の本体部９の磁石ポケット３・磁石ポケットふた４及び連結ひも取り付け部１１は、例えば、作製し易さを考慮して一枚の布から作製することが可能である。
【００７０】
使用される布としては、固定補助具１と同様に、例えば柔軟性に富んだもの、温度変化による硬化変質が無く、経年により性能劣化がない布を使用することが好ましい。
【００７１】
また固定補助具１と同様に、配電設備を停電させないで各種の作業を行う活線作業にて使用することを考慮して、例えば合成繊維布に絶縁良好な合成樹脂を塗布したものを使用することが好ましい。
【００７２】
また図１５に示すように、磁石ポケット３の表面には面ファスナー５が備えられている。図１５では、オスの面ファスナー５ａとメスの面ファスナー５ｂの両方を備えた例を示しているが、オスの面ファスナー５ａのみ又はメスの面ファスナー５ｂのみを備えた構成としても良い。
【００７３】
また図１５に示すように、環状に形成された連結ひも１０が、それぞれの本体部９に対して、二つの連結ひも取り付け部１１の内部に挿通されて、本体部９に取り付けられる。これにより、二つの本体部９は連結ひも１０により連結された状態となる。
【００７４】
連結ひも１０は、例えば、軽量であること、耐久性等を考慮してビニール製のものが使用可能である。また、二つの本体部９は連結ひも１０に対して図５の矢印ｍで示す方向に遊動自在であり、図１５の矢印ｆで示す、連結ひも１０の二つの本体部９の間の箇所（固定部１０ｂ）の大きさは、連結ひも１０の長さの範囲で変更することが可能な構成となっている。
【００７５】
また図１５に示すように、連結ひも１０には、二つの本体部９が取り付けられた外側の部分に、連結ひも調節器１２が取り付けられている。
【００７６】
図１６及び図１７は連結ひも調節器１２の構成を示す説明図である。図１６は概略斜視図であり、説明のため一部を透視した状態で破線にて示している。図１７は断面図である。図１７（ａ）は図１６（ａ）の断面図であり、図１７（ｂ）は図１６（ｂ）の断面図である。
【００７７】
図１６（ａ）及び図１７（ａ）は、後述する摘み部Ａ１３及び摘み部Ｂ１４を摘んでいない状態を示している。７（ｂ）及び図１７（ｂ）は、後述する摘み部Ａ１３及び摘み部Ｂ１４を摘んで力を加えた状態を示している。
【００７８】
連結ひも調整器１２は、例えば次のような構成となる。図１６及び図１７に示すように、連結ひも調整器１２は、摘み部Ａ１３・摘み部Ｂ１４・摘み連結部１５・円筒部１６・円柱部１７及びばね１８を備えて構成される。
【００７９】
図１６及び図１７に示すように、摘み部Ａ１３及び摘み部Ｂ１４は、外側部に曲面を備えた形状に形成されている。摘み部Ａ１３及び摘み部Ｂ１４は例えばプラスティック等により構成される。また、摘み部Ａ１３及び摘み部Ｂ１４は、図１７（ａ）に示すように、ｉで示される箇所にて摘み連結部１５に取り付けられ、所定の距離を離して連結されている。摘み連結部１５は、例えばビニール材等の弾性体により構成される。
【００８０】
また図１７に示すように、摘み部Ａ１３には、取り付け穴Ａ２９を備えた円筒部１６が取り付けられている。更に、摘み部Ｂ１４には、取り付け穴Ｂ３０を備えた円柱部１７が取り付けられている。円筒部１６と円柱部１７は例えばプラスティック等により構成される。円筒部１６が円柱部１７の内部に位置するように構成されており、円筒部１６と円柱部１７の間には、ばね１８が備えられている。
【００８１】
また、図１７に示すように円筒部１６に備えられた取り付け穴Ａ２９と、円柱部１７に備えられた取り付け穴Ｂ３０は、それぞれ断面形状が同一になるように形成されている。
【００８２】
図１７（ａ）に示すように、摘み部Ａ１３及び摘み部Ｂ１４に力を加えない状態では、ばね１８の弾性力により、円筒部１６と円柱部１７にそれぞれ矢印ｋで示す方向に力が加えられ、摘み部Ａ１３と摘み部Ｂ１４が所定の距離で離れた状態になる。このとき取り付け穴Ａ２９と、取り付け穴Ｂ３０は重ならない状態になる。
【００８３】
また、図１６（ａ）の矢印ｈ及び図１７（ａ）の矢印ｊで示す方向に、摘み部Ａ１３及び摘み部Ｂ１４を摘んで力を加えると、図１６（ｂ）及び図１７（ｂ）に示すように、摘み連結部１５が撓み、摘み部Ａ１３及び摘み部Ｂ１４が接した状態になる。このとき取り付け穴Ａ２９と、取り付け穴Ｂ３０は重なった状態になる。
【００８４】
図１６（ｂ）及び図１７（ｂ）に示す状態で、摘み部Ａ１３及び摘み部Ｂ１４に加えられていた力を除くと、ばね１８の弾性力により円筒部１６と円柱部１７に力が加えられ、再度図１６（ａ）及び図１７（ａ）に示すように、摘み部Ａ１３と摘み部Ｂは所定の距離で離され、取り付け穴Ａ２９と取り付け穴Ｂ３０は重ならない状態になる。
【００８５】
また固定補助具８においては、図１５・図１６（ｂ）及び図１７（ｂ）に示すように、取り付け穴Ａ２９と取り付け穴Ｂ３０に、連結ひも１０の一部が二つ折りにされて挿通される。
【００８６】
図１６（ｂ）及び図１７（ｂ）に示す、摘み部Ａ１３及び摘み部Ｂ１４に力を加えられた状態では、取り付け穴Ａ２９と取り付け穴Ｂ３０が重なった状態であるため、取り付け穴Ａ２９と取り付け穴Ｂ３０内に挿通されている連結ひも１０に対して、連結ひも調節器１２の位置を自由に動かすことができる。
【００８７】
摘み部Ａ１３及び摘み部Ｂ１４に加えられていた力を除くと、ばね１８の弾性力により円筒部１６と円柱部１７に力が加えられ、取り付け穴Ａ２９と取り付け穴Ｂ３０が重ならない状態になり、連結ひも１０に対して円筒部１６と円柱部１７より力が加えられる。その結果、連結ひも１０に対して連結ひも調節器１２の位置を自由に動かすことができなくなり、連結ひも調整器１２は連結ひも１０に対して固定された状態になる。
【００８８】
このように、連結ひも１０に対する連結ひも調節器１２の位置を動かし、固定することにより、図１５で示す連結ひも１０の余長部１０ａの長さを変更することができる。これにより、図１５の矢印ｄで示す固定部１０ｂの長さを変更することができる範囲を調節することができる。
【００８９】
また、上述した固定補助具８では、連結ひも調節器１２を備えた構成としたが、連結ひも調節器１２を備えない構成としても良い。
【００９０】
第２の実施の形態の固定補助具８は、磁石２・磁石ポケット３・磁石ポケットふた４・面ファスナー５及び連結ひも取り付け部１１を備えた本体部と、連結ひも１０及び連結ひも調節器１２を備えた単純な構成であるため、容易に且つ低コストで作製することが可能である。
【００９１】
＜第１の実施の形態の固定補助具を用いた防護用シートの固定方法例＞
次に、図１から図５で説明した固定補助具１を用いた、防護用シート２１の配電設備への固定方法について説明する。以下では、固定補助具１を用いて、図２５に示す配電設備において、Ｓで示す腕金２２に対して防護用シート２１を固定する方法について説明する。
【００９２】
図１８から図２１は、固定補助具１を用いた防護用シート２１の配電設備への固定方法を示す説明図である。
【００９３】
図１８及び図１９は、固定補助具１を用いた防護用シート２１の第１の固定方法（固定方法Ａとする）を示している。図１８は概略斜視図であり、説明のため一部を透視した状態で破線で示している。図１９は図１８のＥ−Ｅ断面図である。図２０及び図２１は、固定補助具１による防護用シート２１の第２の固定方法（固定方法Ｂとする）を示している。図２０は概略斜視図であり、説明のため一部を透視した状態で破線で示している。図２１は図２０のＦ−Ｆ断面図である。
【００９４】
まず、図１８及び図１９に示す固定補助具１を用いた防護用シート２１の固定方法Ａ及び取り外し方法について説明する。
【００９５】
図１８及び図１９で示す固定方法Ａでは、防護対象の腕金２２を包んで防護用シート２１が取り付けられている。また固定補助具１が、腕金２２の上側から防護用シート２１に取り付けられている。固定補助具１の磁石２と腕金２２の間の吸着力により、防護用シート２１を挟んで固定補助具１は腕金２２に固定され、その結果、防護用シート２１は腕金２２を包んだ状態で固定されている。
【００９６】
固定補助具１を用いた防護用シート２１の固定方法Ａは次のように行われる。図１８及び図１９に示すように、まず絶縁ヤットコを用いて、防護対象の腕金２２を包んで防護用シート２１を取り付ける。防護用シート２１を取り付けた後、図１８及び図１９に示すように、絶縁ヤットコを用いて各固定補助具１を腕金２２の上側から防護用シート２１に取り付ける。この時、絶縁ヤットコにより固定補助具１の把持ひも７若しくは本体部１９を把持して作業を行う。
【００９７】
この時、磁石２と腕金２２の間の吸着力により、防護用シート２１を挟んで固定補助具１は腕金２２に固定される。その結果、防護用シート２１は腕金２２に固定された状態になる。
【００９８】
図１８及び図１９では、腕金１本に対して、上面・側面・下面にそれぞれ２つずつ固定補助具１を用いて防護用シート２１を固定する例を示した。しかし、使用する固定補助具１の数量及び固定箇所は、防護用シート２１の特性（材質・厚さ・重量等）又は磁石２の吸着力等を考慮して決められる。
【００９９】
上述した固定方法Ａにより固定補助具１を用いて固定された防護用シート２１を取り外す際は、次のように行われる。まず絶縁ヤットコを用いて、取り付けられている各固定補助具１を防護用シート２１から取り外す。この時、把持ひも７の把持部７ａ又は７ｂを、絶縁ヤットコにより把持して取り外しを行うことができるため、固定補助具１の取り外しを容易に行うことができる。
【０１００】
また図１等で説明したように、固定補助具１は、磁石ポケット３の外部の向かい合う位置に把持部７ａ及び把持部７ｂが備えられている。このため、作業現場の状況に応じて、把持をしやすい把持部に対して絶縁ヤットコによる把持を行うことができる。
【０１０１】
更に図１等で説明したように、把持部７ａ及び把持部７ｂの大きさは、把持ひも７の長さの範囲内で変更が可能である。このため、取り外し作業を行う際の状況を考慮して、把持部７ａ又は把持部７ｂのうちどちらか一方を予め大きくしておくことにより、取り外し作業をより容易に行うことが可能になる。
【０１０２】
各固定補助具１を、防護用シート２１から取り外した後、絶縁ヤットコを用いて防護用シート２１を腕金２２から取り外す。
上述した固定補助具１を用いた固定方法Ａにより、磁石２の吸着力により、腕金２２等の磁石の吸着が可能な対象物に対して、防護用シート２１等の物品を固定することができる。
【０１０３】
これにより、物品を挟んで対象物と磁石２の間の吸着が可能であれば、物品及び対象物の形状によらず、固定補助具１を用いて物品を対象物に容易に固定することができる。
【０１０４】
また、図１８及び図１９で示す防護用シート２１の固定方法Ａでは、固定補助具１に面ファスナー５は備えられていなくても良い。
【０１０５】
次に、図２０及び図２１に示す固定補助具１を用いた防護用シート２１の固定方法Ｂ及び取り外し方法について説明する。図２０及び図２１に示す方法で固定される防護用シート２１としては、複数のシート面ファスナー２１ａを所定の位置に備えたものが使用される。
【０１０６】
図２０及び図２１で示す固定方法Ｂでは、固定補助具１の磁石２と防護対象の腕金２２の間の吸着力により、固定補助具１が腕金２２に固定されている。また、固定補助具１の面ファスナー５と防護用シート２１のシート面ファスナー２１ａとの間の吸着力により、防護用シート２１が固定補助具１に固定されている。その結果、防護用シート２１は腕金２２を包んだ状態で固定されている。
【０１０７】
固定補助具１を用いた防護用シート２１の固定方法Ｂは次のように行われる。まず、図２０及び図２１に示すように、絶縁ヤットコを用いて、各固定補助具１を防護対象の腕金２２に取り付ける。固定補助具１の磁石２と腕金２２の間の吸着力により、固定補助具１は腕金２２に対して固定される。
【０１０８】
この時、腕金２２に対して固定補助具１を固定する位置は、防護用シート２１のシート面ファスナー２１ａの位置を考慮して決められる。
【０１０９】
各固定補助具１を腕金２２に固定した後、図２０及び図２１に示すように、防護用シート２１を、絶縁ヤットコを用いて防護対象の腕金２２を包んで取り付ける。
【０１１０】
この時、腕金２２に取り付けられている固定補助具１の面ファスナー５に、防護用シート２１のシート面ファスナー２１ａが吸着されるように、防護用シート２１を取り付ける。その結果、防護用シート２１は腕金２２に固定された状態になる。
【０１１１】
また上述した方法とは別に、以下のような方法により、固定補助具１を用いて、図２０及び図２１に示す状態に防護用シート２１を腕金２２に固定することも可能である（固定方法Ｂ’とする）。まず、防護用シート２１のシート面ファスナー２１ａに、面ファスナー５にて固定補助具１を吸着させる。その後、絶縁ヤットコを用いて、固定補助具１が取り付けられた防護用シート２１を、固定補助具１の磁石２の吸着力により腕金２２に取り付ける。
【０１１２】
固定方法Ｂ’によれば、固定方法Ｂと異なり、防護用シート２１を腕金２２に取り付ける際に、防護用シート２１のシート面ファスナー２１ａと固定補助具１の面ファスナー５の位置合わせを行う必要がない。このため、絶縁ヤットコを用いて容易に防護用シート２１を腕金２２に取り付けることが可能となる。
【０１１３】
図２０及び図２１では、腕金１本に対して、上面・側面・下面にそれぞれ２つずつ固定補助具１を用いて防護用シート２１を固定する例を示した。しかし、使用する固定補助具１の数量及び固定箇所は、防護用シート２１の特性（材質・厚さ・重量等）、磁石２の吸着力又は面ファスナー５とシート面ファスナー２１ａの間の吸着力等を考慮して決められる。
【０１１４】
上述した固定方法Ｂ又は固定方法Ｂ’により固定補助具１を用いて固定された防護用シート２１を取り外す際は、次のように行われる。まず絶縁ヤットコを用いて、取り付けられている防護用シート２１を取り外す。
【０１１５】
防護用シート２１を取り外した後、絶縁ヤットコを用いて各固定補助具１を腕金２２から取り外す。この時、把持ひも７の把持部７ａ又は７ｂを、絶縁ヤットコにより把持して取り外しを行うことができるため、固定補助具１の取り外しを容易に行うことができる。
【０１１６】
また図１等で説明したように、固定補助具１は、磁石ポケット３の外部に把持部７ａ及び把持部７ｂが備えられている。このため、作業現場の状況に応じて、把持をしやすい把持部に対して絶縁ヤットコによる把持を行うことができる。
【０１１７】
更に図１等で説明したように、把持部７ａ及び把持部７ｂの大きさは変更が可能であるため、取り外し作業を行う際の状況を考慮して、把持部７ａ又は把持部７ｂのうちどちらか一方を予め大きくしておくことにより、取り外し作業をより容易に行うことが可能になる。
【０１１８】
また、固定方法Ｂ又は固定方法Ｂ’では、固定補助具１と腕金２２が間に防護用シート２１を挟んで吸着される固定方法Ａと異なり、固定補助具１と腕金２２が直に接して吸着される構成である。このため、磁石２と腕金２２の間に強い吸着力を確保することができ、固定方法Ａと比較して必要な固定補助具１の数を少なくすることができる。
【０１１９】
上述した固定補助具１を用いた固定方法Ｂ又は固定方法Ｂ’により、磁石２の吸着力及び面ファスナー５の吸着力を用いて、腕金２２等の磁石の吸着が可能な対象物に対して、防護用シート２１等の面ファスナーを備えた物品を固定することができる。
【０１２０】
これにより、対象物が磁石の吸着が可能であり、物品が面ファスナーを備えていれば、物品及び対象物の形状によらず、固定補助具１を用いて物品を対象物に容易に固定することができる。
【０１２１】
また、固定補助具１では、磁石２が磁石ポケット３の内部に収納されているため、取り付け及び取り外し作業時に、磁石２が固定補助具１より落下することを防ぐことができる。更に、取り付け及び取り外し作業時に、磁石２により物品及び対象物を傷つけることを防ぐことができる。
【０１２２】
また、図１８から図２１で説明した固定方法Ａ・固定方法Ｂ及び固定方法Ｂ’では、図１から図５で説明した本体部１９を一つ備えた固定補助具１を用いて説明した。しかし、図６で説明した本体部１９を二つ備えた固定補助具１を用いても、同様の方法により、固定方法Ａ・固定方法Ｂ及び固定方法Ｂ’により防護用シート２１の固定は可能である。
【０１２３】
＜第２の実施の形態の固定補助具を用いた防護用シートの固定方法例＞
次に、図１５で説明した固定補助具８を用いた、防護用シート２１の配電設備への固定方法について説明する。以下では、固定補助具８を用いて、図２５に示す配電設備において、Ｔで示す電線２６の一部及びカバー２５に対して防護用シート２１を固定する方法について説明する。
【０１２４】
図２２から図２４は、固定補助具８を用いた、防護用シート２１の配電設備への固定方法（固定方法Ｃとする）を示す説明図である。図２２は固定補助具８を用いて防護用シート２１を固定した状態を示した概略斜視図である。説明のため一部を透視した状態で破線で示している。
【０１２５】
図２３は、固定補助具８を用いた防護用シート２１の配電設備への固定の途中の状態を示す説明図であり、図２２のＧ−Ｇ断面図である。図２４は固定補助具８を用いて防護用シート２１を固定した状態を示す説明図であり、図２２のＧ−Ｇ断面図である。
【０１２６】
図２２及び図２４で示すように、防護対象のカバー２５と電線２６の一部を包んで、防護用シート２１が取り付けられている。カバー２５、電線２６の一部及び防護用シート２１を、固定補助具８の連結ひも１０の固定部１０ｂで巻いた状態で、二つの本体部９が磁石２により吸着され、その結果、防護用シート２１はカバー２５と電線２６の一部を包んだ状態で固定されている。
【０１２７】
固定補助具８を用いた防護用シート２１の固定方法Ｃは次のように行われる。まず、図２２から図２４に示すように、絶縁ヤットコを用いて防護用シート２１を、防護対象のカバー２５と電線２６の一部を包んで取り付ける。
【０１２８】
防護用シート２１を取り付けた後、各固定補助具８を取り付ける。固定補助具８の取り付けは、次のように行われる。図２３に示すように、連結ひも１０の固定部１０ｂで防護用シート２１を巻くように固定補助具８を設置し、二つの本体部を磁石２の吸着力により吸着させる。
【０１２９】
その後図２３の矢印ｌで示すように、防護用シートの周囲の長さに合わせて、連結ひも調節器１２により連結ひも１０の固定部１０ｂの長さを調整する。これにより、図２４に示すように、連結ひも１０の固定部１０ｂで防護用シート２１、カバー２５及び電線２６の一部を巻いた状態で、防護用シート２１をカバー２５と電線２６の一部を包んだ状態で固定する。
【０１３０】
この連結ひも調節器１２による固定部１０ｂの調節作業は、例えば次のように、二人の作業員により行われる。一人の作業員が絶縁ヤットコにて連結ひも調節器１２の摘み部Ａ１３及び摘み部Ｂ１４を摘み、連結ひも調節器１２を連結ひも１０に対して自由に動かせる状態にする。その間に、もう一人の作業員が連結ひも１０の余長部１０ａを絶縁ヤットコを用いて引っ張り、固定部１０ｂの長さを調節し、固定補助具８により、防護用シート２１がカバー２５と電線２６の一部に固定された状態にする。
【０１３１】
上述した方法では、二つの本体部９を磁石２の吸着力により吸着させるとしたが、面ファスナー５の吸着力及び磁石２の吸着力により二つの本体部９を吸着させても良い。
【０１３２】
図２２では、カバー２５及び電線２６の一部に対して、二つの固定補助具８を用いて防護用シート２１を固定する例を示した。しかし、使用する固定補助具８の数量及び固定箇所は、防護用シート２１の特性（材質・厚さ・重量等）、磁石２の吸着力、面ファスナー５の吸着力等を考慮して決められる。
【０１３３】
上述した固定方法Ｃにより、固定補助具８を用いて固定された防護用シート２１を取り外す際は、次のように行われる。まず絶縁ヤットコを用いて、吸着されている二つの本体部９を離し、固定補助具８を防護用シート２１からを取り外す。この時、余長部１０ａ又は本体部９を絶縁ヤットコにより把持することにより固定補助具８を取り外しを行う。
【０１３４】
その後、絶縁ヤットコを用いて、防護用シート２１をカバー２５と電線２６の一部から取り外す。
【０１３５】
上述した固定補助具８を用いた固定方法Ｃにより、防護用シート２１等の物品及び配電設備等の対象物を連結部の固定部１０ｂで巻き、二つの本体部９を磁石２又は面ファスナー５の吸着力により吸着させて、物品を対象物に対して固定する。
【０１３６】
これにより、固定補助具８を用いて、対象物に磁石２を吸着できない場合も、物品及び対象物の形状によらず、物品を対象物に容易に固定することができる。
【０１３７】
また、固定補助具８では、磁石２が磁石ポケット３の内部に収納されているため、取り付け及び取り外し作業時に、磁石２が固定補助具１より落下することを防ぐことができる。更に、取り付け及び取り外し作業時に、磁石２同士が傷つくことを防ぐことができる。
【０１３８】
また固定補助具８を用いて、固定補助具１と同様に、図１８から図２１で説明した固定方法Ａ・固定方法Ｂ及び固定方法Ｂ’により防護用シート２１の固定を行うことも可能である。
【産業上の利用可能性】
【０１３９】
本発明は、防護用シート等の物品を配電設備などの対象物に固定する際に用いられる固定補助具に適用される。
【図面の簡単な説明】
【０１４０】
【図１】第１の実施の形態の固定補助具の一例を示す説明図である。
【図２】第１の実施の形態の固定補助具の一例を示す説明図である。
【図３】第１の実施の形態の固定補助具の一例を示す説明図である。
【図４】第１の実施の形態の固定補助具の一例を示す説明図である。
【図５】第１の実施の形態の固定補助具の一例を示す説明図である。
【図６】第１の実施の形態の固定補助具の他の例を示す説明図である。
【図７】磁石ポケット・磁石ポケットふた及び把持ひも取り付け部の作製例を示す説明図である。
【図８】磁石ポケット・磁石ポケットふた及び把持ひも取り付け部の作製例を示す説明図である。
【図９】磁石ポケット・磁石ポケットふた及び把持ひも取り付け部の作製例を示す説明図である。
【図１０】磁石ポケット・磁石ポケットふた及び把持ひも取り付け部の作製例を示す説明図である。
【図１１】磁石ポケット・磁石ポケットふた及び把持ひも取り付け部の作製例を示す説明図である。
【図１２】磁石ポケット・磁石ポケットふた及び把持ひも取り付け部の作製例を示す説明図である。
【図１３】磁石ポケット・磁石ポケットふた及び把持ひも取り付け部の作製例を示す説明図である。
【図１４】磁石ポケット・磁石ポケットふた及び把持ひも取り付け部の作製例を示す説明図である。
【図１５】第２の実施の形態の固定補助具の一例を示す説明図である。
【図１６】連結ひも長さ調節器の一例を示す説明図である。
【図１７】連結ひも長さ調節器の一例を示す説明図である。
【図１８】第１の実施の形態の固定補助具による防護用シート固定方法を示す説明図である。
【図１９】第１の実施の形態の固定補助具による防護用シート固定方法を示す説明図である。
【図２０】第１の実施の形態の固定補助具による防護用シート固定方法を示す説明図である。
【図２１】第１の実施の形態の固定補助具による防護用シート固定方法を示す説明図である。
【図２２】第２の実施の形態の固定補助具による防護用シート固定方法を示す説明図である。
【図２３】第２の実施の形態の固定補助具による防護用シート固定方法を示す説明図である。
【図２４】第２の実施の形態の固定補助具による防護用シート固定方法を示す説明図である。
【図２５】活線作業を行う配電設備を示す説明図である。
【図２６】従来の防護用シートの固定方法を示す説明図である。
【図２７】従来の防護用シートの固定方法を示す説明図である。
【図２８】従来の防護用シートの固定方法を示す説明図である。
【符号の説明】
【０１４１】
１  固定補助具
２  磁石
３  磁石ポケット
４  磁石ポケットふた
５  面ファスナー
６  把持ひも取り付け部
７  把持ひも
８  固定補助具
９  本体部
１０  連結ひも
１１  連結ひも取り付け部
１２  連結ひも調節器
１９  本体部
【図１】
0004688585.tif 000002
【図２】
0004688585.tif 000003
【図３】
0004688585.tif 000004
【図４】
0004688585.tif 000005
【図５】
0004688585.tif 000006
【図６】
0004688585.tif 000007
【図７】
0004688585.tif 000008
【図８】
0004688585.tif 000009
【図９】
0004688585.tif 000010
【図１０】
0004688585.tif 000011
【図１１】
0004688585.tif 000012
【図１２】
0004688585.tif 000013
【図１３】
0004688585.tif 000014
【図１４】
0004688585.tif 000015
【図１５】
0004688585.tif 000016
【図１６】
0004688585.tif 000017
【図１７】
0004688585.tif 000018
【図１８】
0004688585.tif 000019
【図１９】
0004688585.tif 000020
【図２０】
0004688585.tif 000021
【図２１】
0004688585.tif 000022
【図２２】
0004688585.tif 000023
【図２３】
0004688585.tif 000024
【図２４】
0004688585.tif 000025
【図２５】
0004688585.tif 000026
【図２６】
0004688585.tif 000027
【図２７】
0004688585.tif 000028
【図２８】
0004688585.tif 000029